(57)【特許請求の範囲】
【請求項１】
撮影対象を含む撮影画像のデジタルデータである撮影画像データを得るデジタル撮像装置であって、
撮影画像中におけるの撮影対象の占めるべき理想的領域を示すフレームの画像データを複数の撮影対象のそれぞれに対応して記憶するフレーム記憶手段と、
前記複数のフレームのうちのいずれかのフレームを選択フレームとして選択入力するためのフレーム選択手段と、
前記選択フレームと撮影候補の画像であるモニタ画像とを重ねて表示する表示手段と、
表示手段に表示された前記モニタ画像に相当する撮影画像データを得る撮像手段と、
前記選択フレームに対応する撮影対象の種類と前記選択フレームにおける前記理想的領域である対象領域とを特定するための情報である特定情報と、前記撮影画像データとを互いに関連づけて所定の記録対象に記録する関連づけ記録手段と、
を備えることを特徴とするデジタル撮像装置。
【請求項２】
請求項１に記載のデジタル撮像装置であって、
前記フレーム選択手段が、前記複数のフレームのそれぞれに対応したキーワードのうちからいずれかのキーワードを選択することにより前記フレーム選択を行うものであることを特徴とするデジタル撮像装置。
【請求項３】
請求項１に記載のデジタル撮像装置であって、
前記特定情報が前記撮影対象の種類を特定するための撮影対象名と前記対象領域を特定するための対象領域座標とを有するものであり、
前記関連づけ記録手段が、
前記選択フレームに対応する前記撮影対象名および前記対象領域座標を求める情報導出手段と、
前記撮影対象名および前記対象領域座標と前記撮影画像データとを互いに関連づけて所定の記録対象に記録する記録手段と、
を備えることを特徴とするデジタル撮像装置。
【請求項４】
請求項１ないし請求項３のいずれかに記載のデジタル撮像装置であって、さらに、
前記特定情報を参照しつつ、前記撮影画像データの補正を行う補正手段を備えることを特徴とするデジタル撮像装置。
【請求項５】
請求項１ないし請求項４のいずれかに記載のデジタル撮像装置であって、さらに、
撮影画像データに合成されて撮影画像の一部となる予め準備された画像であるテンプレートを記憶するテンプレート記憶手段と、
前記特定情報を参照しつつ、前記テンプレート記憶手段から前記テンプレートを読み出し、前記撮影画像データに合成するテンプレート合成手段と、
を備えることを特徴とするデジタル撮像装置。
【請求項６】
請求項１ないし請求項３のいずれかに記載のデジタル撮像装置と、
前記所定の記録対象から前記撮影画像データおよび前記特定情報を読み出す読み出し手段と、前記特定情報に基づいて前記撮影画像データの補正を行う撮影画像補正手段とを有するコンピュータと、
を備えることを特徴とする画像処理システム。
【請求項７】
請求項１ないし請求項４のいずれかに記載のデジタル撮像装置と、
撮影画像データに合成されて撮影画像の一部となる予め準備された画像であるテンプレートを記憶するテンプレート記憶手段と、前記所定の記録対象から前記撮影画像データおよび前記特定情報を読み出す読み出し手段と、前記特定情報に基づいて前記テンプレート記憶手段から前記テンプレートを読み出して前記撮影画像データに合成するテンプレート合成手段とを有するコンピュータと、
を備えることを特徴とする画像処理システム。
【請求項８】
撮影対象を含む撮影画像のデジタルデータである撮影画像データに対して画像処理を行う画像処理装置であって、
着脱自在の記録媒体または通信可能に接続されたデジタル撮像装置から、撮影画像データと、当該撮影画像データにおける撮影対象の種類および当該撮影対象が撮影された画像中の領域である対象領域を特定するための情報として当該撮影画像データと関連づけて記録されている特定情報とを読み出す読み出し手段と、
前記特定情報に基づいて前記撮影画像データの補正を行う撮影画像補正手段と、
を備えることを特徴とする画像処理装置。
【請求項９】
撮影対象を含む撮影画像のデジタルデータである撮影画像データに対して画像処理を行う画像処理装置であって、
撮影画像データに合成されて撮影画像の一部となる予め準備された画像であるテンプレートを記憶するテンプレート記憶手段と、
着脱自在の記録媒体または通信可能に接続されたデジタル撮像装置から、撮影画像データと、当該撮影画像データにおける撮影対象の種類および当該撮影対象が撮影された画像中の領域である対象領域を特定するための情報として当該撮影画像データと関連づけて記録されている特定情報とを読み出す読み出し手段と、
前記特定情報に基づいて、前記テンプレート記憶手段から前記テンプレートを読み出して前記撮影画像データに合成するテンプレート合成手段と、
を備えることを特徴とする画像処理装置。
【請求項１０】
撮影対象を含む撮影画像のデジタルデータである撮影画像データを得るデジタル撮像方法であって、
撮影画像中における撮影対象の占めるべき理想的領域を示す画像であるフレームを複数の撮影対象のそれぞれに対して備え、当該複数のフレームのうちのいずれかのフレームを選択フレームとして選択入力するフレーム選択工程と、
前記選択フレームと撮影候補の画像であるモニタ画像とを重ねて表示する表示工程と、
表示手段に表示された前記モニタ画像に相当する撮影画像データを得る撮像工程と、
前記選択フレームに対応する撮影対象の種類と前記選択フレームにおける前記理想的領域である対象領域とを特定するための情報である特定情報と、前記撮影画像データとを互いに関連づけて所定の記録対象に記録する関連づけ記録工程と、
を備えることを特徴とするデジタル撮像方法。
【請求項１１】
デジタル撮像装置によって撮影対象を含む撮影画像のデジタルデータである撮影画像データを得るためのプログラムを記録した記録媒体において、
撮影画像中における撮影対象の占めるべき理想的領域を示す画像であるフレームを複数の撮影対象のそれぞれに対して備え、当該複数のフレームのうちのいずれかのフレームを選択フレームとして選択入力するフレーム選択機能と、
前記選択フレームと撮影候補の画像であるモニタ画像とを重ねて表示手段に表示し、前記モニタ画像に相当する撮影画像データを得る撮像機能と、
前記選択フレームに対応する撮影対象の種類と前記選択フレームにおける前記理想的領域である対象領域とを特定するための情報である特定情報と、前記撮影画像データとを互いに関連づけて所定の記録対象に記録する関連づけ記録機能と、
を実現させるプログラムを記録していることを特徴とするデジタル撮像装置およびコンピュータ読み取り可能な記録媒体。
【請求項１２】
撮影対象を含む撮影画像のデジタルデータである撮影画像データに対してコンピュータによって画像処理を行うためのプログラムを記録した記録媒体において、
着脱自在の記録媒体または通信可能に接続されたデジタル撮像装置から、撮影画像データと、当該撮影画像データにおける撮影対象の種類および当該撮影対象が撮影された画像中の領域である対象領域を特定するための情報として当該撮影画像データと関連づけて記録されている特定情報とを読み出す読み出し機能と、
前記特定情報に基づいて前記撮影画像データの補正を行う補正機能と、
を実現させるプログラムを記録していることを特徴とするコンピュータ読み取り可能な記録媒体。
【請求項１３】
撮影対象を含む撮影画像のデジタルデータである撮影画像データに対してコンピュータによって画像処理を行うためのプログラムを記録した記録媒体において、
着脱自在の記録媒体または通信可能に接続されたデジタル撮像装置から、撮影画像データと、当該撮影画像データにおける撮影対象の種類および当該撮影対象が撮影された画像中の領域である対象領域を特定するための情報として当該撮影画像データと関連づけて記録されている特定情報とを読み出す読み出し機能と、
前記特定情報に基づいて、前記撮影画像データに合成されて撮影画像の一部となる予め準備された画像であるテンプレートを前記撮影画像データに合成するテンプレート合成機能と、
を実現させるプログラムを記録していることを特徴とするコンピュータ読み取り可能な記録媒体。
【発明の詳細な説明】
【０００１】
【発明の属する技術分野】
この発明は、撮影対象を含む撮影画像のデジタルデータである撮影画像データを得るデジタル撮像装置、それを備えた画像処理システム、画像処理装置、デジタル撮像方法および記録媒体に関する。
【０００２】
【従来の技術】
近年、画像補正が行えるカメラが数多く提供されており、そのうち、撮影した画像データを所定の記憶対象に記憶しておき、後のプリント時や再生時に記憶した撮影画像データに各種画像補正処理を行うことができるカメラとして特開平１１−１３６５６８号公報の技術が知られている。この技術では、撮影時においては、使用者が主被写体を指定し、その情報をもとにオートフォーカスや自動露光を行って得られた画像データを内部メモリまたは外部メモリに記憶させる。その際、画像データとともにタッチパネルにより撮影者が入力した主被写体の位置情報をも記憶させておき、後のプリント時や再生時に主被写体の位置情報を利用して主被写体周辺の明るさ補正や画質補正等を行うものとなっている。
【０００３】
【発明が解決しようとする課題】
しかし、上記従来技術では主被写体がどのようなものであるか、すなわち、人物なのか、動物なのか、風景なのかといった撮影対象が分からず、後の画像補正等の画像処理を行う際には、撮影対象を撮影者が別途入力する必要があった。
【０００４】
また、撮影対象を後の画像補正等の際に入力するためには、そのための入力画面等の入力手段を備える必要があり、製造コストが上昇していた。
【０００５】
この発明は、従来技術における上述の問題の克服を意図しており、記録された後に読み出された画像データに対して容易に画像処理を行うことができる安価なデジタル撮像装置、それを備えた画像処理システム、画像処理装置、デジタル撮像方法および記録媒体を提供することを目的とする。
【０００６】
【課題を解決するための手段】
上記の目的を達成するため、請求項１の発明は、撮影対象を含む撮影画像のデジタルデータである撮影画像データを得るデジタル撮像装置であって、撮影画像中におけるの撮影対象の占めるべき理想的領域を示すフレームの画像データを複数の撮影対象のそれぞれに対応して記憶するフレーム記憶手段と、前記複数のフレームのうちのいずれかのフレームを選択フレームとして選択入力するためのフレーム選択手段と、前記選択フレームと撮影候補の画像であるモニタ画像とを重ねて表示する表示手段と、表示手段に表示された前記モニタ画像に相当する撮影画像データを得る撮像手段と、前記選択フレームに対応する撮影対象の種類と前記選択フレームにおける前記理想的領域である対象領域とを特定するための情報である特定情報と、前記撮影画像データとを互いに関連づけて所定の記録対象に記録する関連づけ記録手段と、を備えている。
【０００７】
また、請求項２の発明は、請求項１に記載のデジタル撮像装置であって、前記フレーム選択手段が、前記複数のフレームのそれぞれに対応したキーワードのうちからいずれかのキーワードを選択することにより前記フレーム選択を行うものである。
【０００８】
また、請求項３の発明は、請求項１に記載のデジタル撮像装置であって、前記特定情報が前記撮影対象の種類を特定するための撮影対象名と前記対象領域を特定するための対象領域座標とを有するものであり、前記関連づけ記録手段が、前記選択フレームに対応する前記撮影対象名および前記対象領域座標を求める情報導出手段と、前記撮影対象名および前記対象領域座標と前記撮影画像データとを互いに関連づけて所定の記録対象に記録する記録手段と、を備える。
【０００９】
また、請求項４の発明は、請求項１ないし請求項３のいずれかに記載のデジタル撮像装置であって、さらに、前記特定情報を参照しつつ、前記撮影画像データの補正を行う補正手段を備えている。
【００１０】
また、請求項５の発明は、請求項１ないし請求項４のいずれかに記載のデジタル撮像装置であって、さらに、撮影画像データに合成されて撮影画像の一部となる予め準備された画像であるテンプレートを記憶するテンプレート記憶手段と、前記特定情報を参照しつつ、前記テンプレート記憶手段から前記テンプレートを読み出し、前記撮影画像データに合成するテンプレート合成手段と、を備えている。
【００１１】
また、請求項６の発明は、請求項１ないし請求項３のいずれかに記載のデジタル撮像装置と、前記所定の記録対象から前記撮影画像データおよび前記特定情報を読み出す読み出し手段と、前記特定情報に基づいて前記撮影画像データの補正を行う撮影画像補正手段とを有するコンピュータと、を備える。
【００１２】
また、請求項７の発明は、請求項１ないし請求項４のいずれかに記載のデジタル撮像装置と、撮影画像データに合成されて撮影画像の一部となる予め準備された画像であるテンプレートを記憶するテンプレート記憶手段と、前記所定の記録対象から前記撮影画像データおよび前記特定情報を読み出す読み出し手段と、前記特定情報に基づいて前記テンプレート記憶手段から前記テンプレートを読み出して前記撮影画像データに合成するテンプレート合成手段とを有するコンピュータと、を備える。
【００１３】
また、請求項８の発明は、撮影対象を含む撮影画像のデジタルデータである撮影画像データに対して画像処理を行う画像処理装置であって、着脱自在の記録媒体または通信可能に接続されたデジタル撮像装置から、撮影画像データと、当該撮影画像データにおける撮影対象の種類および当該撮影対象が撮影された画像中の領域である対象領域を特定するための情報として当該撮影画像データと関連づけて記録されている特定情報とを読み出す読み出し手段と、前記特定情報に基づいて前記撮影画像データの補正を行う撮影画像補正手段と、を備えている。
【００１４】
また、請求項９の発明は、撮影対象を含む撮影画像のデジタルデータである撮影画像データに対して画像処理を行う画像処理装置であって、撮影画像データに合成されて撮影画像の一部となる予め準備された画像であるテンプレートを記憶するテンプレート記憶手段と、着脱自在の記録媒体または通信可能に接続されたデジタル撮像装置から、撮影画像データと、当該撮影画像データにおける撮影対象の種類および当該撮影対象が撮影された画像中の領域である対象領域を特定するための情報として当該撮影画像データと関連づけて記録されている特定情報とを読み出す読み出し手段と、前記特定情報に基づいて、前記テンプレート記憶手段から前記テンプレートを読み出して前記撮影画像データに合成するテンプレート合成手段と、を備えている。
【００１５】
また、請求項１０の発明は、撮影対象を含む撮影画像のデジタルデータである撮影画像データを得るデジタル撮像方法であって、撮影画像中における撮影対象の占めるべき理想的領域を示す画像であるフレームを複数の撮影対象のそれぞれに対して備え、当該複数のフレームのうちのいずれかのフレームを選択フレームとして選択入力するフレーム選択工程と、前記選択フレームと撮影候補の画像であるモニタ画像とを重ねて表示する表示工程と、表示手段に表示された前記モニタ画像に相当する撮影画像データを得る撮像工程と、前記選択フレームに対応する撮影対象の種類と前記選択フレームにおける前記理想的領域である対象領域とを特定するための情報である特定情報と、前記撮影画像データとを互いに関連づけて所定の記録対象に記録する関連づけ記録工程と、を備えている。
【００１６】
また、請求項１１の発明は、デジタル撮像装置によって撮影対象を含む撮影画像のデジタルデータである撮影画像データを得るためのプログラムを記録した記録媒体であって、撮影画像中における撮影対象の占めるべき理想的領域を示す画像であるフレームを複数の撮影対象のそれぞれに対して備え、当該複数のフレームのうちのいずれかのフレームを選択フレームとして選択入力するフレーム選択機能と、前記選択フレームと撮影候補の画像であるモニタ画像とを重ねて表示手段に表示し、前記モニタ画像に相当する撮影画像データを得る撮像機能と、前記選択フレームに対応する撮影対象の種類と前記選択フレームにおける前記理想的領域である対象領域とを特定するための情報である特定情報と、前記撮影画像データとを互いに関連づけて所定の記録対象に記録する関連づけ記録機能と、を実現させるプログラムを記録している。
【００１７】
また、請求項１２の発明は、撮影対象を含む撮影画像のデジタルデータである撮影画像データに対してコンピュータによって画像処理を行うためのプログラムを記録した記録媒体であって、着脱自在の記録媒体または通信可能に接続されたデジタル撮像装置から、撮影画像データと、当該撮影画像データにおける撮影対象の種類および当該撮影対象が撮影された画像中の領域である対象領域を特定するための情報として当該撮影画像データと関連づけて記録されている特定情報とを読み出す読み出し機能と、前記特定情報に基づいて前記撮影画像データの補正を行う補正機能と、を実現させるプログラムを記録している。
【００１８】
さらに、請求項１３の発明は、撮影対象を含む撮影画像のデジタルデータである撮影画像データに対してコンピュータによって画像処理を行うためのプログラムを記録した記録媒体であって、着脱自在の記録媒体または通信可能に接続されたデジタル撮像装置から、撮影画像データと、当該撮影画像データにおける撮影対象の種類および当該撮影対象が撮影された画像中の領域である対象領域を特定するための情報として当該撮影画像データと関連づけて記録されている特定情報とを読み出す読み出し機能と、前記特定情報に基づいて、前記撮影画像データに合成されて撮影画像の一部となる予め準備された画像であるテンプレートを前記撮影画像データに合成するテンプレート合成機能と、を実現させるプログラムを記録している。
【００１９】
【発明の実施の形態】
以下、この発明の実施の形態について図面を参照しつつ説明する。
【００２０】
＜１．第１の実施の形態＞
＜＜１−１．全体構成＞＞
図１および図２は、本発明の実施の形態に係るデジタルカメラ１Ａ（１Ｂ）の外部構成を示す斜視図であり、図１は正面側からの斜視図、図２は背面側からの斜視図である。以下、図１および図２を参照してデジタルカメラ１Ａ（１Ｂ）の全体構成について説明する。
【００２１】
デジタルカメラ１Ａ（１Ｂ）は、撮像部３と、略直方体状のカメラ本体１０とに大別される構造となっている。
【００２２】
撮像部３は、撮影レンズ３１、結像光学系（図示省略）、および個体撮像素子（図示省略）を備え、撮影レンズ３１から入射する光を結像光学系により個体撮像素子に結像させ、個体撮像素子によりデジタルデータとしての撮影画像データを得る。
【００２３】
カメラ本体１０の正面上部には後述するＣＰＵの制御に基づいて発光し、被写体を照らすフラッシュ５が設けられている。また、カメラ本体１０の上面にはレリーズボタン７が配設されている。
【００２４】
レリーズボタン７は、半押しで撮影準備状態、全押しでシャッターがレリーズ状態となる操作部材である。
【００２５】
また、カメラ本体１０の一方の側面にはメモリカード挿入口１８が設けられている。メモリカード挿入口１８は、スリット状に形成された挿入口で、カメラ本体１０内へ外部記録媒体（以下、メモリカードという）１００を挿入するためのものであり、内部に後述するメモリカードインターフェイス（Ｉ／Ｆ）を備えている。
【００２６】
さらに、カメラ本体１０の背面には、確定ボタン１３、スクロールボタン１４，１５および表示部１７が設けられている。
【００２７】
表示部１７は、例えばＬＣＤ等で構成され、撮影時に撮像部３を通じて捉えられた撮影候補の画像であるモニタ画像および後に詳述するフレームの画像を重ねた状態で表示したり、撮影されてメモリカード（後述）に記憶された撮影画像データを表示したり、さらには、各種の項目（後述するキーワードを含む）を選択して設定するための選択・設定画面等を表示する。
【００２８】
スクロールボタン１４，１５は、選択・設定画面が表示されている状態で複数の項目の中から使用者が任意のものを選択するためのボタンであり、スクロールボタン１４を押す毎に選択された項目が順送り（ＵＰ）、スクロールボタン１５を押す毎に逆送り（ＤＯＷＮ）されるようになっている。また、スクロールボタン１４，１５は、既に撮影された撮影画像データの再生時にメモリカード１００に記録された撮影画像データを呼び出すアクセスボタンでもあり、スクロールボタン１４を押す毎に記録画像が順送り（ＵＰ）、スクロールボタン１５を押す毎に逆送り（ＤＯＷＮ）されるようになっている。
【００２９】
図３は本発明の実施形態に係るデジタルカメラ１Ａ（１Ｂ）の機能的構成を示すブロック図である。
【００３０】
このデジタルカメラ１Ａ（１Ｂ）は、デジタルカメラ全体の動作を制御するシステムコントローラとしてＣＰＵ２０を備えている。このＣＰＵ２０は、フラッシュＲＯＭ４１にインストールされた制御プログラムを動作時にはＲＡＭ４２に読み出して格納し、それを実行することによって以下に示す種々の機能を実現する。
【００３１】
撮像部３で得られた撮影画像データはＲＡＭ４２に一時保存されたり、表示部１７に表示されたり、さらには信号処理部４３では後述する画像補正処理やテンプレート合成処理がＣＰＵ２０の制御のもとに施されたりする。また、メモリカード１００は、カメラ本体１０に着脱自在な、例えばＳＲＡＭ等からなる複数枚の撮影画像データが記録可能な記録媒体であり、メモリカード挿入口１８内に設けられたメモリカードインターフェイス（Ｉ／Ｆ）４４を通じて、メモリカード１００とＣＰＵ２０との間でデータ転送ができる。それにより、撮影時、信号処理部４３において後述する画像補正処理がされた撮影画像データはＣＰＵ２０の制御のもとにメモリカードＩ／Ｆ４４を介してメモリカード１００に記録される。また、逆にメモリカード１００に記録されている撮影画像データをＣＰＵ２０が読み出して表示部１７に表示させることもできる。
【００３２】
また、前述のレリーズボタン７、確定ボタン１３、スクロールボタン１４，１５等の操作部５０による信号はＣＰＵ２０に送られ、ＣＰＵ２０が使用者による各種操作を認識する。さらに、ＣＰＵ２０はレリーズボタン７が全押しされるとシャッター４５をレリーズするよう制御する。
【００３３】
なお、上述のＣＰＵ２０の制御プログラムはその機能強化等のため、必要に応じてこの発明の記録媒体に相当するセットアップ用メモリカード１０１を用いてアップデートできるものとなっている。具体的には、セットアップ用メモリカード１０１には、既にフラッシュＲＯＭ４１にインストールされている制御プログラムをアンインストールした後にインストールすべきアップデート後の制御プログラムや、既にインストールされている制御プログラムをアップデートするためのアップデートプログラムが記録されており、そのセットアップ用メモリカード１０１をメモリカード挿入口１８に装着して、そのセットアップ用メモリカード１０１から、それら制御プログラムやアップデートプログラムを読み込んでインストールできるものとなっている。
【００３４】
＜＜１−２．操作および処理＞＞
図４は撮影時におけるデジタルカメラ１Ａの操作およびＣＰＵ２０による制御を示すフローチャートである。以下、図４を参照しつつこのデジタルカメラ１Ａの操作およびＣＰＵ２０による制御について説明していく。なお、特に指定しない限り以下の処理の制御はＣＰＵ２０によって行われる。
【００３５】
まず、キーワードの一覧が表示部１７に表示される（図４：ステップＳ１）。図５はキーワードによるフレームの選択入力画面ＳＰの様子を示す図である。この実施の形態におけるデジタルカメラ１Ａでは使用者が撮影を行う際に撮影対象ごとに適した構図となるよう、撮影対象が撮影範囲内において占めるべき理想的領域を示すフレームの画像と、撮影候補の画像であるモニタ画像とを重ねて表示部１７に表示し、それにより使用者が容易に撮影対象に適した構図で撮影が行えるものとなっている。そして、まずステップＳ１ではそのフレームを使用者が選択するよう、各フレームに対応するキーワードの一覧を表示部１７に表示するのである。図５では、ポートレート大Ｋ１、ポートレート小Ｋ２、ポートレート複数大Ｋ３、ポートレート複数小Ｋ４、山Ｋ５、海Ｋ６の計６つのキーワードが選択項目として表示されている。
【００３６】
【表１】
0003777922.tif 000002
【００３７】
表１は各キーワードに対応する撮影対象名および対象領域座標を示す表である。ここで、撮影対象名はキーワードに対応する撮影対象の種類の名称である。表１に示すように、ポートレート大Ｋ１およびポートレート小Ｋ２のそれぞれに対応する撮影対象名は「人物単数大」および「人物単数小」であり、それらに対応するフレームはそれぞれ１人の人を大きくおよび小さく撮影するためのフレームである。ポートレート複数大Ｋ３およびポートレート複数小Ｋ４に対応する撮影対象名は「人物複数大」および「人物複数小」であり、それらに対応するフレームはそれぞれ複数の人物を大きくおよび小さく撮影するためのフレームである。山Ｋ５および海Ｋ６に対応する撮影対象名は「山」および「海」であり、それらに対応するフレームは、それぞれ山および海の風景を撮影するためのフレームである。
【００３８】
図６および図７はフレームの例を示す図であり、図６（ａ）は人物単数大のフレームを、図６（ｂ）は海のフレームを、図７は山のフレームをそれぞれ示す図である。撮影の際には前述のようにモニタ画像とフレームとを重ねた状態で表示するモニタ画面ＭＰが表示部に表示され、使用者はモニタ画面ＭＰを見ながら、モニタ画像中の撮影対象がフレーム内に納まるように撮影する。具体的には、撮影対象名が人物単数大に対する矩形のフレームＦ１では図６（ａ）のように一人の人物の顔が、人物単数小に対する縦に長い長方形のフレーム（図示省略）では一人の人物の全身が、人物複数大に対する横に長い長方形のフレーム（図示省略）では並んだ複数の人物の上半身が、人物複数小に対する横に長い長方形のフレーム（図示省略）では並んだ複数の人物の全身が、海に対する矩形のフレームＦ２では図６（ｂ）のように海の水平線以下が、山に対する矩形のフレームＦ３では図７のように山の中腹以下がそれぞれフレーム内に納まるように撮影する。
【００３９】
また、対象領域座標は各フレーム内の領域、すなわち撮影対象が占めるべき理想的領域を特定するための座標値であり、撮影画像内の各点（表示部１７の各画素に対応）を座標（ｘ，ｙ）で表わすとき、各フレームの特徴的な２点、より詳細には例えば表１および図６、図７では左上と右下の頂点の座標をそれぞれ（ｘi1，ｙi1）、（ｘi2，ｙi2）と表わしている。ここで、ｉ（＝１〜６）は各フレームを表わす番号である。このような座標値によりフレームのサイズと撮影画像内における位置を一意に特定できるものとなっている。
【００４０】
つぎに、表示部１７に表示されたキーワードのうちから何れかを使用者が選択して設定する（図４：ステップＳ２）。具体的には、図５に示すように、表示部１７に表示された複数のキーワードのうちのいずれか一つが反転表示されており、この反転表示はスクロールボタン１４，１５によって上下（ＵＰ，ＤＯＷＮ）する。そして、使用者は所望のキーワードが反転した状態で確定ボタンを押すことによって、そのキーワードに対応したフレームを選択、指定することができる。
【００４１】
つぎに、表示部１７にモニタ画像と重ねた状態でフレームが表示される（図４：ステップＳ３）。この時の表示部１７における表示が図６および図７であり、それぞれフレームの画像とモニタ画像とが重なり合って表示されている。
【００４２】
つぎに、使用者がレリーズボタン７を押すと、ＣＰＵ２０がシャッター４５をレリーズする（図４：ステップＳ４）。
【００４３】
すると、ＣＰＵ２０は選択されたフレームに対応する撮影対象名と対象領域座標とをフラッシュＲＯＭ４１に記憶されていたフレームテーブルから読み出す（図４：ステップＳ５）。このフレームテーブルは表１に示した、各フレームに対応する撮影対象名および対象領域座標が対応づけられて記憶されたテーブルである。
【００４４】
つぎに、ＣＰＵ２０は、使用者の指定に応じて信号処理部４３を制御して、撮影画像データに対して画像補正処理を行う（図４：ステップＳ６）。
【００４５】
以下、画像補正処理について説明する。図８は画像補正の処理手順を示すフローチャートである。
【００４６】
まず、ＣＰＵ２０は標準の補正パラメータをフラッシュＲＯＭ４１から読み出して設定する（図８：ステップＳ１１）。具体的には、画像内容（撮影対象）に関わらず、画像全体に対して標準で使用する予めフラッシュＲＯＭ４１に記憶されていた補正パラメータをＲＡＭ４２に読み出して所定のアドレスに格納する。ここで、補正パラメータとは、画像に対してシャープネス処理や、コントラスト、彩度等の変更、調整といった行うべき画像補正の処理内容を指定したデータである。
【００４７】
つぎに、ＣＰＵ２０はＲＡＭ４２に格納されている選択されたフレームに対応する撮影対象名および対象領域座標のデータを参照する（図８：ステップＳ１２）。
【００４８】
つぎに、ＣＰＵ２０は対象領域内については、撮影対象に対応する補正パラメータに変更する（図８：ステップＳ１３）。具体的には、ＣＰＵ２０はフラッシュＲＯＭ４１に記憶された各撮影対象名に対応する補正パラメータの組みから、選択されたフレームに対応する撮影対象に対する補正パラメータを読み出してきて、ＲＡＭ４２内に既に設定されている標準の補正パラメータを対象領域に対してのみ、読み出した補正パラメータに変更するのである。なお、ＲＡＭ４２に記憶された対象領域以外の領域については上記の標準の補正パラメータのままである。
【００４９】
【表２】
0003777922.tif 000003
【００５０】
表２は補正パラメータの組みの例を示す表である。表２の補正パラメータの組みにおいては、撮影対象名が人物単数大および人物複数大の撮影画像ではシャープネスを行わず、コントラストは弱めにする画像補正を、人物小の撮影画像ではシャープネスを非常に弱く、コントラストは弱めにする画像補正を、山の撮影画像では彩度を大きく上げる画像補正を、海の撮影画像では彩度を大きく上げる画像補正をそれぞれ行うような補正パラメータの組みになっている。なお、表２に挙げた補正パラメータは、それぞれ「弱め」「強め」「上げる」等の言葉で表わしたが、実際にはシャープネス、コントラスト、彩度についての所定範囲での数値で表わされたデータとして記録されている。また、これらの補正パラメータの組みは一例であり、各補正パラメータは任意である。
【００５１】
そして、以上の補正パラメータの設定の後、設定された補正パラメータに応じて信号処理部４３が画像の補正を実行する（図８：ステップＳ１４）。これで画像の補正処理は終了する。
【００５２】
図４の説明に戻る。つぎに、ＣＰＵ２０は、ステップＳ６で得られた画像補正後の撮影画像データとステップＳ５で得られた特定情報ファイルとを互いに関連づけてメモリカード１００へ記録する（図４：ステップＳ７）。
【００５３】
図９は画像ファイルＩＦおよび特定情報ファイルＳＦの記憶状態を示す図である。図９に示すようにメモリカード１００には撮影画像データＩＤを含む画像ファイルＩＦと、その撮影画像データＩＤに対する撮影対象名ＯＮおよび対象領域座標ＡＣからなる特定情報ファイルＳＦとが互いに関連づけられて記憶される。具体的には、画像ファイルＩＦには撮影画像データＩＤ以外に、その撮影画像データＩＤに対応する特定情報ファイルＳＦが記憶されたアドレス等のリンク情報ＬＩが含まれている。このリンク情報ＬＩを参照することにより、複数の撮影画像データＩＤが記憶されたメモリカード１００からも容易に特定の画像ファイルＩＦとそれに対応する特定情報ファイルＳＦとを読み出すことができる。
【００５４】
以上のような手順により撮影および撮影された撮影画像データのメモリカード１００への保存が行われるが、さらに、このような手順を繰り返すことにより複数の撮影画像データを得ることができ、それらをそれぞれ特定情報ファイルと関連づけてメモリカード１００へ記憶させることができる。
【００５５】
以上で撮影時におけるデジタルカメラ１Ａの操作および処理についての説明が終了したが、この実施の形態におけるデジタルカメラ１Ａは、撮影後にメモリカード１００に記憶されている撮影画像データを読み出して再度の画像補正処理やテンプレート合成処理を行うことができるものとなっている。以下、これらの処理について説明する。
【００５６】
まず、撮影後の画像補正処理について説明する。図１０は撮影後に画像補正処理を行う場合の処理手順を示すフローチャートである。
【００５７】
まず、ＣＰＵ２０がメモリカード１００に記憶されている画像ファイルおよびそれにリンク付けされた特定情報ファイルから撮影画像データおよび撮影対象名および対象領域座標をＲＡＭ４２へ読み込む（図１０：ステップＳ２１）。
【００５８】
つぎに、使用者の指定に応じて撮影画像データに対して画像補正を行う（図１０：ステップＳ２２）。この処理は図４のステップＳ６の処理とほぼ同様である。すなわち、ＣＰＵ２０の制御のもとに信号処理部４３が図８の画像補正処理を行うのである。ただし、その際に用いる撮影対象名および対象領域座標が、ステップＳ２１で示したように、メモリカード１００内において対象となる画像ファイルとリンク付けされて記憶されていた特定情報ファイル内のものであること、および、撮影対象の部分領域である抽出領域ごとに異なる補正パラメータを用いて、よりきめ細かな画像補正を行うことが図８のステップＳ６と異なるのみである。
【００５９】
【表３】
0003777922.tif 000004
【００６０】
表３は抽出領域ごとの補正パラメータの組みの例を示す表である。表３に示すように、撮影対象に特徴的な部分に特別な補正パラメータを設定している。具体的には、撮影対象が人物単数大および人物複数大の場合には、対象領域内の人物の肌色の部分にはシャープネス処理を行わず、コントラストを弱めにするような補正パラメータを、人物の口に当たる赤い部分には彩度を大きく上げるような補正パラメータを、人物の目に当たる部分にはシャープネスを強めにする補正パラメータをそれぞれ設定する。また、撮影対象が人物単数小および人物複数小の場合には対象領域内の人物の肌の部分に対して、撮影対象が山の場合には対象領域内の緑色の部分に対して、撮影対象が海の場合には対象領域内の青い部分に対して、それぞれ彩度を大きく上げるような補正パラメータを設定する。
【００６１】
このような補正パラメータを用い、かつ各抽出領域毎に異なる画像補正を行う。ただし、各抽出領域の抽出は、人物単数大および人物複数大における目の部分以外は、色差または色相等が所定の範囲内にあるかどうかで判別して抽出する公知の方法を用いることができ、それによりこのデジタルカメラ１Ａでは自動抽出している。すなわち、対象領域内の各画素の色差または色相が各特徴部分の色成分を読み出し、それが所定の色差または色相の範囲内にあれば、その画素は抽出領域に含まれるとし、そうでなければ抽出領域に含まれないとするといった方法である。また、人物単数大および人物複数大における目の部分については次のような方法で抽出する。すなわち、このデジタルカメラ１ＡではフラッシュＲＯＭ４１に予め平均的な目の画像を備えており、それとは別に上記のようにして抽出された口の位置との相対的な位置関係で求めた撮影画像中の目の概略位置近傍において、その平均的な目の画像とのパターンマッチングにより抽出する。なお、このパターンマッチングは公知の方法を使用し得る。
【００６２】
最後に、ＣＰＵ２０がステップＳ２２で得られた画像補正後の画像データを含む画像ファイルを前述の撮影時の撮影画像データを含む画像ファイルと同様に特定情報ファイルとリンク付けしてメモリカード１００へ書き込む（図１０：ステップＳ２３）。以上で、撮影後の画像補正処理が終了する。
【００６３】
つぎに、テンプレート合成処理について説明する。この実施の形態のデジタルカメラ１Ａは撮影された画像に対して、画像の周辺部分を飾るための所定の画像であるテンプレート画像を合成することができるものとなっている。
【００６４】
図１１はテンプレートの例を示す図であり、（ａ）はフォトフレームのテンプレートＴ１、（ｂ）はハート型のテンプレートＴ２を示す図である。図１１（ａ）および（ｂ）では、はめ込み領域Ｉ１およびはめ込み領域Ｉ２に、それぞれ読み出された画像における対象領域内の画像をはめ込むような合成処理を行うのである。
【００６５】
図１２はテンプレートの合成処理手順を示すフローチャートである。
【００６６】
まず、ＣＰＵ２０はメモリカード１００から選択された画像ファイルおよび特定情報ファイルに含まれる撮影対象名および対象領域座標のデータを読み出す（図１２：ステップＳ３１）。具体的には、使用者が表示部１７に表示された撮影画像データの選択画面（図示省略）、より詳細にはメモリカード１００に記憶された撮影画像データの一覧が表示された画面において、そのうちのいずれか一つをスクロールボタン１４，１５および確定ボタン１３を操作して選択する。すると、メモリカード１００内に記憶された画像ファイルのうち、選択された撮影画像データを含む画像ファイルおよびそれに対応する特定情報ファイルが読み出され、その撮影画像データ、撮影対象名および対象領域座標がＲＡＭ４２に格納される。
【００６７】
つぎに、ＣＰＵ２０はフラッシュＲＯＭ４１から選択された合成候補のテンプレート画像を読み込む（図１２：ステップＳ３２）。具体的には、使用者が表示部１７に表示されたテンプレートの選択画面（図示省略）、より詳細には使用可能なテンプレートの一覧が表示された画面において、そのうちのいずれか一つをスクロールボタン１４，１５および確定ボタン１３を操作して選択する。すると、フラッシュＲＯＭ４１に記憶された複数のテンプレートのうち、選択されたテンプレート画像データが読み出されＲＡＭ４２に格納される。
【００６８】
つぎに、ＣＰＵ２０の制御のもと信号処理部４３は読み出された撮影画像データからそれに対応する対象領域内の画像データを抽出する（図１２：ステップＳ３３）。
【００６９】
つぎに、信号処理部４３が抽出した対象領域の画像データをテンプレート画像と合成する（図１２：ステップＳ３４）。具体的には、ＣＰＵ２０が合成候補のテンプレート画像におけるはめ込み領域の輪郭を特定するベクトルデータである輪郭情報を読み出し、信号処理部４３に送る。すると信号処理部４３は、選択した撮影画像データの対象領域内に、その輪郭を当てはめ、その輪郭内の画像データを抽出画像データとして抽出する。そして、信号処理部４３がＣＰＵ２０から送られてきた合成候補のテンプレート画像データのはめ込み領域部分に抽出した抽出画像データを挿入することによってテンプレート画像が合成された撮影画像データが得られるのである。
【００７０】
最後に、ＣＰＵ２０が、得られた合成後の撮影画像データを含む画像ファイルを前述の撮影時の画像ファイルと同様に特定情報ファイルとリンク付けしつつメモリカード１００へ書き込む（図１２：ステップＳ３５）。
【００７１】
以上で、テンプレート画像合成処理が終了するが、必要に応じてこれらの処理を繰り返し行うこともできる。
【００７２】
以上説明したように、第１の実施の形態によれば、複数のフレームのうちのいずれかのフレームを選択フレームとして選択入力し、その選択フレームとモニタ画像とを重ねて表示し、そのモニタ画像に相当する撮影画像データを得て、選択フレームに対応する撮影対象の種類と対象領域とを特定するための情報のファイルである特定情報ファイルを、撮影画像データを含む画像ファイルにリンク付けして所定の記録対象としてのメモリカード１００に記録するため、記録された後に画像ファイルと、それにリンク付けされた特定情報ファイルとを読み出すことにより、撮影画像データにおける撮影対象と対象領域を特定することができ、簡単な操作で画像処理を行うことができる。
【００７３】
また、使用者がフレームの選択とは別に撮影対象および対象領域を指定する必要がないことにより、操作が簡易になるとともに、撮影対象および対象領域を指定するための指定入力手段を別途備える必要がないので、製造コストを抑え、安価な装置とすることができる。
【００７４】
また、フレーム選択手段としてのフレーム選択画面において、複数のフレームのそれぞれに対応したキーワードのうちからいずれかのキーワードを選択することによりフレーム選択を行うため、キーワードによって複数のフレームのそれぞれを容易に把握することができ、容易に所望のフレームを選択できる。
【００７５】
また、撮影対象名および対象領域座標を含む特定情報ファイルと撮影画像データを含む画像ファイルとを互いに関連づけてメモリカード１００に記録するため、記録後に読み出した撮影画像データに対して画像処理を施す際に、撮影画像データに対応する撮影対象名および対象領域座標を使用者が指定することなく読み出すことができ、より操作が簡易になる。
【００７６】
また、特定情報ファイルを参照しつつ、撮影画像データの画像補正を行うため、使用者が撮影画像データ中の撮影対象や対象領域を指定することなく、対象領域に対して画像補正を行うことができ、簡易な操作で画像補正を行うことができる。
【００７７】
また、特定情報ファイルを参照しつつ、テンプレートを読み出し、撮影画像データに合成するため、使用者が撮影画像データ中の撮影対象や対象領域を指定することなく、テンプレートの合成を行うことができ、簡易な操作でテンプレート合成を行うことができる。
【００７８】
＜２．第２の実施の形態＞
図１３は第２の実施の形態である画像処理システム２の構成を示すブロック図である。第２の実施の形態では第１の実施の形態とほぼ同様のデジタルカメラ１Ｂとパーソナルコンピュータ（以下、単に「コンピュータ２００」という）とを備えたシステムである。
【００７９】
また、この画像処理システム２におけるコンピュータ２００は、内部にＣＰＵ２０１、ハードディスク２０３、ＲＡＭ２０５、ＲＯＭ２０７およびフロッピーディスク、ＣＤ−ＲＯＭ等の読み書きを行うディスクドライブ２０９およびシリアルポートやＵＳＢポート等の通信インターフェイス（Ｉ／Ｆ）２１１を備えるとともに、周辺機器としてディスプレイ２１３やキーボード、マウス等の操作入力部２１５、さらにはメモリカード１００の読み書きを行うためのメモリカード読み書き部２１７が備わっている。
【００８０】
なお、コンピュータ２００においてもＣＰＵによる以下に示す各処理の制御プログラムは、この発明における記録媒体としてのＣＤ−ＲＯＭや磁気ディスク等のセットアップ用ディスク３００を用いて、インストールや機能強化等のためのアップデートを行うことができるものとなっている。具体的には、セットアップ用ディスク３００には、最初にインストールするための制御プログラムや、既にハードディスクにインストールされている制御プログラムをアンインストールした後にインストールすべきアップデートされた制御プログラムや、既にインストールされている制御プログラムをアップデートするためのアップデートプログラムが記録されており、セットアップ用ディスク３００から、それら制御プログラムやアップデートプログラムを読み込んでインストールすることもできるものとなっている。
【００８１】
また、この画像処理システム２におけるデジタルカメラ１Ｂには図示しないソケットが設けられており、コンピュータ２００側の通信Ｉ／Ｆ２１１に接続された通信ケーブル２１９をそのソケットに接続することによって画像ファイルや特定情報ファイル等のデータの送受信を行うことができるものとなっている。
【００８２】
また、この実施の形態の画像処理システム２におけるデジタルカメラ１Ｂによる処理は図４で示した処理とほぼ同じである。ただし、このデジタルカメラ１Ｂではメモリカード１００に記録後の撮影画像データに対しては画像補正処理や画像合成処理を行うことはできないものとなっている。その代わり画像補正処理や画像合成処理はコンピュータ２００によって行うことができるものとなっている。具体的には、デジタルカメラ１Ｂによって第１の実施の形態と同様に画像ファイルおよびその画像ファイルにリンク付けされた特定情報ファイルを、それらが記録されたメモリカード１００をメモリカード読み書き部２１７に装着して読み取ったり、そのようなメモリカード１００が装着されたデジタルカメラ１Ｂから、通信ケーブル２１９を介して読み取ったりすることができるものとなっている。そのため、そうして読み込んだ撮影画像データおよびそれに対応する撮影対象名および対象領域座標を用いて第１の実施の形態と同様に図１０および図１２のフローチャートとほぼ同様の画像補正処理や画像合成処理を行うことができるのである。なお、コンピュータ２００が読み出す撮影画像データは、デジタルカメラ１Ｂにより撮影された画像データであるので、その画像データにおける対象領域には当然ながら撮影対象の画像データが含まれている。
【００８３】
ただし、コンピュータにおける画像補正処理では対象領域に対する補正パラメータを手動で変更したり、抽出領域を手動で抽出するモードも備えていることが異なっている。具体的には、補正パラメータの設定画面においては、読み出した撮影画像全体がディスプレイ２１３に表示されており、そのうち、補正パラメータを変更したい部分を操作入力部２１５によって指定する。すると、その指定された領域に対するシャープネス、コントラスト、彩度等の補正項目の一覧画面が表示され、そのうちの何れかを操作入力部の操作によって選択することができ、それに続いてその補正項目のパラメータの入力画面が表示され、その画面において補正パラメータを設定することができるものとなっている。
【００８４】
また、抽出領域の設定画面においては、読み出した撮影画像データの対象領域がディスプレイ２１３に表示された状態で、使用者がそのうちの抽出領域としたい領域を操作入力部２１５の操作によって指定することによって設定できる。そして、そのような抽出領域の指定に続いて指定された抽出領域に対して上記と同様の補正パラメータの設定画面が表示され、その抽出領域に対して補正パラメータを設定できるのである。
【００８５】
そして、以上のようにして設定された補正パラメータに従って自動的に画像補正が実行されるのである。
【００８６】
以上説明したように、第２の実施の形態によれば、画像処理システム２がデジタル撮像装置としてのデジタルカメラ１Ｂを備えるとともに、所定の記録対象であるメモリカード１００から画像ファイルおよび特定情報ファイルを読み出す読み出し手段としてのメモリカード読み書き部２１７または通信Ｉ／Ｆ２１１と、特定情報ファイルの撮影対象名および対象領域に基づいて撮影画像データの画像補正を行う補正手段としてのＣＰＵ２０１とを有する画像処理装置としてのコンピュータ２００を備えるため、使用者が撮影対象や対象領域を指定することなく、デジタルカメラ１Ｂによって撮影された撮影画像データの対象領域に対してコンピュータによって画像補正を行うことができ、操作が簡易になる。
【００８７】
また、画像処理装置としてのコンピュータ２００が、テンプレートを記憶するテンプレート記憶手段としてのハードディスク２０３と、所定の記録対象としてのメモリカード１００から画像ファイルおよび特定情報ファイルを読み出す読み出し手段としてのメモリカード読み書き部２１７または通信Ｉ／Ｆ２１１と、特定情報ファイルの撮影対象名および対象領域に基づいてハードディスク２０３からテンプレートを読み出して撮影画像データに合成するテンプレート合成手段としてのＣＰＵ２０１とを有するため、使用者が撮影対象や対象領域を指定することなく、デジタルカメラ１Ｂによって撮影された撮影画像データの対象領域に対してコンピュータ２００によってテンプレートの合成を行うことができ、操作が簡易になる。
【００８８】
＜３．変形例＞
上記実施の形態においてデジタル撮像装置、それを備えた画像処理システム、画像処理装置、デジタル撮像方法および記録媒体の例を示したが、この発明はこれに限定されるものではない。
【００８９】
例えば、上記実施の形態ではフレームの選択入力をキーワードの一覧のうちの何れかを選択することによって行うものとしたが、各撮影対象を表わすアイコンの一覧のうちのいずれかを選択することによって、それに対応するフレームを選択するものとしてもよい。
【００９０】
また、上記実施の形態におけるデジタルカメラでは、画像ファイルおよび特定情報ファイルを互いに関連付けて、メモリカード１００に記憶するものとしたが、所定の記録対象としてフラッシュＲＯＭ４１に記録するものとしてもよい。
【００９１】
また、上記実施の形態では、フレームテーブルからキーワードに対応する撮影対象名および対象領域を求め、それらを特定情報ファイルとして画像ファイルと関連づけて記録するものとしたが、特定情報ファイルにはキーワードのみを記録しておき、画像補正処理やテンプレート合成処理を行う際にフレームテーブルを参照してキーワードに対応する撮影対象名および対象領域を求めるものとしてもよい。
【００９２】
また、上記実施の形態では画像補正処理のみを撮影時に行うものとしたが、テンプレート合成をも撮影時に行うものとしてもよい。
【００９３】
さらに、上記実施の形態では画像全体に対する標準の補正パラメータは自動的に初期設定されるものとしたが、この初期設定も使用者が全体画像に対する補正パラメータの設定画面によって使用者が操作入力部によって設定できるものとしてもよい。
【００９４】
【発明の効果】
以上説明したように、請求項１、請求項１０および請求項１１の発明によれば、複数のフレームのうちのいずれかのフレームを選択フレームとして選択入力し、その選択フレームと撮影候補の画像であるモニタ画像とを重ねて表示し、そのモニタ画像に相当する撮影画像データを得て、選択フレームに対応する撮影対象の種類と選択フレームにおける理想的領域である対象領域とを特定するための情報である特定情報と、前記撮影画像データとを互いに関連づけて所定の記録対象に記録するため、記録された後に撮影画像データと特定情報とを読み出すことにより、撮影画像データにおける撮影対象と対象領域を特定することができ、容易に画像処理を行うことができる。また、請求項１の発明では、使用者がフレームの選択とは別に撮影対象および対象領域を指定する必要がないことにより、操作が簡易になるとともに、撮影対象および対象領域を指定するための指定入力手段を別途備える必要がないので、製造コストを抑え、安価な装置とすることができる。
【００９５】
また、特に請求項２の発明によれば、フレーム選択手段が、複数のフレームのそれぞれに対応したキーワードのうちからいずれかのキーワードを選択することによりフレーム選択を行うものであるため、キーワードによって複数のフレームのそれぞれを容易に把握することができ、容易に所望のフレームを選択できる。
【００９６】
また、特に請求項３の発明によれば、撮影対象名および対象領域座標と撮影画像データとを互いに関連づけて所定の記録対象に記録するため、記録後に読み出した撮影画像データに対して画像処理を施す際に、撮影画像データに対応する撮影対象名および対象領域座標を使用者が指定することなく読み出すことができ、より操作が簡易になる。
【００９７】
また、特に請求項４の発明によれば、特定情報を参照しつつ、撮影画像データの補正を行う補正手段を備えるため、使用者が撮影画像データ中の撮影対象や対象領域を指定することなく、対象領域に対して補正を行うことができ、簡易な操作で補正を行うことができる。
【００９８】
また、特に請求項５の発明によれば、特定情報を参照しつつ、テンプレート記憶手段からテンプレートを読み出し、撮影画像データに合成するテンプレート合成手段を備えるため、使用者が撮影画像データ中の撮影対象や対象領域を指定することなく、テンプレートの合成を行うことができ、簡易な操作でテンプレートの合成を行うことができる。
【００９９】
また、請求項６および請求項７の発明によれば、請求項１ないし請求項３のいずれかに記載のデジタル撮像装置と、所定の記録対象から撮影画像データおよび特定情報を読み出す読み出し手段と、特定情報に基づいて撮影画像データの補正を行う補正手段とを有するコンピュータとを備えるため、使用者が撮影対象や対象領域を指定することなく、デジタルカメラによって撮影された撮影画像データの対象領域に対してコンピュータによって補正を行うことができ、操作が簡易になる。
【０１００】
また、特に請求項７の発明によれば、請求項１ないし請求項４のいずれかに記載のデジタル撮像装置と、テンプレートを記憶するテンプレート記憶手段と、所定の記録対象から撮影画像データおよび特定情報を読み出す読み出し手段と、特定情報に基づいてテンプレート記憶手段からテンプレートを読み出して撮影画像データに合成するテンプレート合成手段とを有するコンピュータとを備えるため、使用者が撮影対象や対象領域を指定することなく、デジタルカメラによって撮影された撮影画像データの対象領域に対してコンピュータによってテンプレートの合成を行うことができ、操作が簡易になる。
【０１０１】
また、請求項８の発明によれば、着脱自在の記録媒体または通信可能に接続されたデジタル撮像装置から、撮影画像データと、その撮影画像データにおける撮影対象の種類およびその撮影対象が撮影された画像中の領域である対象領域を特定するための情報として当該撮影画像データと関連づけて記録されている特定情報とを読み出す読み出し手段と、特定情報に基づいて撮影画像データの補正を行う補正手段と、を備えるため、使用者が撮影対象や対象領域を指定することなく、記録媒体またはデジタル撮像装置から読み出した撮影画像データの対象領域に対して補正を行うことができ、操作が簡易になる。
【０１０２】
また、請求項９の発明によれば、着脱自在の記録媒体または通信可能に接続されたデジタル撮像装置から、撮影画像データと、その撮影画像データにおける撮影対象の種類およびその撮影対象が撮影された画像中の領域である対象領域を特定するための情報として当該撮影画像データと関連づけて記録されている特定情報とを読み出す読み出し手段と、特定情報に基づいて、テンプレート記憶手段からテンプレートを読み出して撮影画像データに合成するテンプレート合成手段と、を備えるため、使用者が撮影対象や対象領域を指定することなく、記録媒体またはデジタル撮像装置から読み出した撮影画像データに対してテンプレートの合成を行うことができ、操作が簡易になる。
【０１０３】
また、請求項１２の発明によれば、コンピュータによって請求項８の各手段の機能を実現するプログラムを記録しているため、そのようなプログラムをコンピュータにより読み取って実行させることにより請求項８の発明と同様の効果を奏する。
【０１０４】
さらに、請求項１３の発明によれば、コンピュータによって請求項９の各手段の機能を実現するプログラムを記録しているため、そのようなプログラムをコンピュータにより読み取って実行させることにより請求項９の発明と同様の効果を奏する。
【図面の簡単な説明】
【図１】本発明の実施の形態に係るデジタルカメラ１Ａ（１Ｂ）の外部構成を示す斜視図である。
【図２】本発明の実施の形態に係るデジタルカメラ１Ａ（１Ｂ）の外部構成を示す斜視図である。
【図３】本発明の実施形態に係るデジタルカメラ１Ａ（１Ｂ）の機能的構成を示すブロック図である。
【図４】撮影時におけるデジタルカメラの操作およびＣＰＵによる制御を示すフローチャートである。
【図５】キーワードによるフレームの選択入力画面の様子を示す図である。
【図６】フレームの例を示す図である。
【図７】フレームの例を示す図である。
【図８】画像の補正処理手順を示すフローチャートである。
【図９】画像ファイルおよび特定情報ファイルの記憶状態を示す図である。
【図１０】撮影後に画像補正処理を行う場合の処理手順を示すフローチャートである。
【図１１】テンプレートの例を示す図である。
【図１２】テンプレートの合成処理手順を示すフローチャートである。
【図１３】第２の実施の形態である画像処理システムの構成を示すブロック図である。
【符号の説明】
１Ａ，１Ｂ  デジタルカメラ
２  画像処理システム
３  撮像部（撮像手段）
７  レリーズボタン
１３  確定ボタン
１４，１５  スクロールボタン
１７  表示部（表示手段、１３，１４，１５とともにフレーム選択手段）
２０  ＣＰＵ（情報導出手段）
４１  フラッシュＲＯＭ（フレーム記憶手段、テンプレート記憶手段）
４３  信号処理部（２０とともに補正手段、２０とともにテンプレート合成手段）
４４  メモリカードＩ／Ｆ（２０とともに関連づけ記録手段、２０とともに記録手段）
１００  メモリカード（記録対象）
１０１  セットアップ用メモリカード（記録媒体）
２００  コンピュータ
２０１  ＣＰＵ（撮影画像補正手段、テンプレート合成手段）
２０３  ハードディスク（テンプレート記憶手段）
２０９  ディスクドライブ（読み出し手段）
２１１  通信Ｉ／Ｆ
２１７  メモリカード読み書き部
２１９  通信ケーブル（２１１とともに読み出し手段）
３００  セットアップ用ディスク（記録媒体）
ＡＣ  対象領域座標
Ｆ１〜Ｆ３  フレーム
ＩＤ  撮影画像データ
ＩＦ  画像ファイル
Ｋ１〜Ｋ６  キーワード
ＬＩ  リンク情報
ＯＮ  撮影対象名
Ｔ１，Ｔ２  テンプレート
ＳＦ  特定情報ファイル
【図１】
0003777922.tif 000005
【図２】
0003777922.tif 000006
【図３】
0003777922.tif 000007
【図４】
0003777922.tif 000008
【図５】
0003777922.tif 000009
【図６】
0003777922.tif 000010
【図７】
0003777922.tif 000011
【図８】
0003777922.tif 000012
【図９】
0003777922.tif 000013
【図１０】
0003777922.tif 000014
【図１１】
0003777922.tif 000015
【図１２】
0003777922.tif 000016
【図１３】
0003777922.tif 000017